(57)【要約】          【課題】  市販中で優れている家具転倒防止装置器具は、台輪の裏側（内側）に取り付ける為に手が入れられず家具を倒さないと取り付けが出来ないので、家具関連関係業者向け、家具業界の専門家用と言える。  本発明品はそれを一般家庭向きに誰でも簡単に取り付けられるようにした。          【解決手段】  家具の最下部の床に近い表面に、上下方向のラックを側面に形成し自重で落下する支持脚を上下に自由に動くように着脱可能に貫通させた取付け装置を取り付け、前記のラックと向き合い噛み合って前記支持脚の上方への動きを止めるラチェット爪を儲け、厚さの薄い板体の中央部に立壁を設けた逆Ｔ字型の立壁前面に、前記取り付け装置器具の裏面と底面を結合させ。前記立壁の後面に両面粘着テープを貼着した家具転倒防止装置器具である。  取り付ける家具の意匠に適合したカバーを前記取付け装置器具の前面に設けても良い。          【選択図】図２
2005245896.tif 000002
【特許請求の範囲】
【請求項１】
家具の最下部の床に近い前面に自由に上下出来る棒状（柱状）の支持脚を配置しこの支持脚を上下に自由に動くように本体の中央部に設けた孔に着脱可能に貫通させて取りけた装置であって、前記支持脚の側面に上下方向にラックを形成し、このラックと向き合い噛み合って前支持脚の上方への動きを止めるラチット爪を設けると共に、前記支持脚を常に下方に付勢させ、厚さの薄い板体の略中央部に立壁を設けた逆Ｔ字型の立壁前面に前記本体の裏面と底面を結合一体化させ、前記立壁の後面に両面粘着テープを貼着した家具転倒防止装置器具。
【請求項２】
請求項１記載の家具転倒防止装置器具において、前記家具転倒防止装置器具を取付ける家具の意匠に適合した形状及び/又は色彩のカバーを前記取付け装置の前面に設けた家具転倒防止装置器具。
【請求項３】
請求項２記載の家具転倒防止装置器具において、前記カバーの材質に蓄光性又は蛍光性の物質を混入するか及び/又は前期カバーに蓄光性又は蛍光性の物質を混入した塗膜を施した家具転倒防止装置器具。
【請求項４】
請求項２又は請求項３記載の家具転倒防止装置器具において、前記カバーの内部に微震でも振動して音を出す装置を設けた家具転倒防止装置器具。
【請求項５】
請求項２〜４項のいずれかの１項に記載の家具転倒防止装置器具において、前記カバーの内部に香料を設置した家具転倒防止装置器具。
【請求項６】
請求項２〜５項のいずれかの１項に記載の家具転倒防止装置器具において、家具転倒防止装置器具がついた家具を移動するとき揺れによって落下し飛び出たままになる前記支持脚を抜き出し前記カバー内部に収納出来るようにした家具転倒防止装置器具。
【発明の詳細な説明】
【技術分野】
【０００１】
本発明は、簡単容易に取り付けられる家具の揺れ倒れを防ぐ装置に関するものである。
【背景技術】
【０００２】
従来の家具の転倒防止装置器具では金物で家具を後ろの壁や床にネジ釘で固定するものや、家具と天井の間に棒状（柱状の物）を挟んだりする色々な装置や器具が市販されているが何れもネジ釘で家具や壁に傷や傷跡を付けたり、装置や器具が大きくて目立ちすぎて家具のデザインまた部屋空間のインテリアを壊すものが多い。（例えば、特許文献１参照）
【０００３】
【特許文献１】特開２００３−１３５１８３号公報
【発明の開示】
【発明が解決しようとする課題】
【０００４】
ところが、特許文献１記載の家具転倒防止装置は、市販されている器具中では何処にも傷や傷跡をつけず家具の命とも言うべきデザインを壊さず部屋のインテリアも損なわず最も優れていると思われるが、その取り付けが家具の下部の裏側（内側）である為に取り付けに難点があった。  すなわち家具メーカーの製作段階では取り付けは容易であり，家具商が出荷の際に取り付けるにはそれぞれ作業の一過程で簡単に出来て問題はなく、専門家向けと言える。  しかし一度設置されて使用されている一般家庭の家具に取り付ける場合は、中味を取り出し空にして家具を倒して取り付けねばならず、終わって又中味を入れなおさなければならず老人や婦女子には大変な努力を要する作業である。  そこで家具裏側（内側）に取り付ける家具の転倒防止装置を本発明は逆転の発想で表側（前面）に誰にでも簡単容易に取り付けられるようにした。
【課題を解決するための手段】
【０００５】
本発明は、家具の最下部の床に近い表側（前面）に自由に上下出来る支持脚を配置し、前記支持脚を上下に自由に動くように本体中央部に着脱可能に貫通させて取付けた装置であって、前記支持脚の側面に上下方向にラックを形成し、前記ラックと噛み合って前記支持脚の上方への動きを止めるラチット爪を前記ラックと噛み合う向きに付設すると共に、前記支持脚を常に下方に付勢させ、厚さの薄い板体の中央部に立壁を設けた逆Ｔ字型の立壁前面に前記本体の裏面と底面を結合させ、前記立壁の後面に両面粘着テープを貼着するものである。  前記基盤の板体の厚さを家具の底部に打ちつけてある三角形の補強板の厚み以下にすると、前記の家具転倒防止装置器具を家具に取り付ける際のガイド役になると共に家具の重力を支える。  なお、前記立壁の後面に両面粘着テープで貼着してネジ釘の取付けも必要の無いようにもしている。  これにより一般家庭においても家具の下部表側（前面）に前記の家具転倒防止装置器具が誰にでも容易簡単に取り付けられるようになる。
【０００６】
前記の家具転倒防止器具において、それを取り付ける家具の意匠に適合した形状のカバーを前記取付け装置器具の前面に覆い設けることで、家具の大切なインテリアとしてのデザインを壊すのを防止できる。
【０００７】
前記家具転倒防止器具において、前記カバーの材質に蓄光性又は蛍光性の物質を混入するか、及び／又は前記カバーに蓄光性又は蛍光性の物質を混入した塗膜を施すことで、夜間の地震などの災害発生時に停電で真っ暗となっても、自分自身が何処に居るのかその位置関係が把握でき避難がスムースとなる。  日常生活の中で無意識の意識となっている家具の位置が、かすかでも明かりとなれば避難の為の道標となるようにしても良い。
【０００８】
前記家具転倒防止器具において、前記カバーの内部に小さな微震でも振動によって音の出る装置を設けることで、人体に感じ得ない小さな余震でも音感によって感知出来るので早くから本震に対する避難の為の心身ともども準備が出来るようにしても良い
【０００９】
前記家具転倒防止器具において、前記装置器具本体と前記カバーの間に空間を設け、その空間に香料を設置することで日常の生活空間に常に心地よい好みの香りを漂わせて心をなごませ、ストレスを解消、疲れを癒せるようにしても良い。
【００１０】
なお、前記家具転倒防止器具において、地震の揺れで本発明の転倒防止器具のついている家具の前面が浮き上がった分だけ前記支持脚は落下し、上方にはラチット爪によって戻れず下方に飛び出たままになるので、この器具の仕組みは家具の移動には邪魔になる。  そこでこの機能を家具の移動中は停止させて前記支持脚の落下を防ぐ為に前記支持脚を引き抜き、前記装置器具本体の上部に置きカバーで覆い収納することで移動がスムースに出来また、移動中の支持脚の紛失防止に役立つ。
【発明の効果】
【００１１】
従来の転倒防止装置器具の中では家具の裏側（内側）に取り付ける最も秀でていると思われる家具転倒防止装置器具を逆転の発想で思い切って表側（前面）に出した為、前記家具転倒防止装置器具本体が露出するのでカバーを被せた。  前記カバーは取り付けられる家具にマッチした形体や色彩等、前記転倒防止器具を取り付ける家具のデザインを考慮し、部屋のインテリアに溶け込むもので美観を重んじたものである。  前記カバーの製作段階で原料素材の中に蓄光性、蛍光性の原料や夜光石等の光るものの粉末や粒を混入したり、カバーに蓄光性や蛍光性塗料を塗布したりして、カバーが夜間停電の中でかすかにでも明るく光れば、日常生活の中で知らず知らずのうちにその家具の位置は身に滲みて肌で覚えている為に、避難の道順が瞬時に想像でき身の安全につながる。
【００１２】
また、前記カバーの内部空間に揺れれば音を発する装置（鈴、ベル、りん、等）を取りつけることによって、自覚できない微震のうちから音で地震を感知することが出来て、本震に対する心身共に準備ができ人身事故を少なくする。  また、前記カバーの内部空間に香りを発する場所を作り部屋の中を好みの香りで満たせば家の中はリラックスの場所となりストレスを解消し、又寝室の香りは熟睡を促し日常のさわやかな香りは精神をやわらげ、円満な家庭の素となり健康に貢献する。                                              
【００１３】
部屋の模様替えや引越し等で前記家具転倒防止装置器具が装着された家具はその家具自体が少しでも動くと転倒防止装置が直ちに作動して前記家具転倒防止装置器具内の前記支持脚が落下飛出したままとなり移動の邪魔となる為に移動の前にその支持脚を引き抜き機能を無機能にし、引き抜いた支持脚を転倒防止装置器具本体の上部に横たえ前記カバーを掛けて収納すると運搬中の紛失トラブルを防ぐ。
【発明を実施するための最良の形態】
【００１４】
次に、本発明の詳細を実施例になる図面を参照して説明する。  図１は、本発明の実施例となる家具転倒防止装置器具を家具の下部表側（前面）に左右バランス良く取り付けた正面図である。  図２は、本発明の実施例となる家具転倒防止装置器具の取り付け方法取付け順をしめす図である。  図３は、本発明の実施例となる家具転倒防止装置器具を家具の下部（台輪）の表側（前面）に取り付けた断面図である。  図４は、本発明の実施例となる家具転倒防止装置器具のカバーの内部を示す図である。  図５は、本発明の実施例となる家具転倒防止装置器具を装着した家具の揺れに対して転倒を防止したところの家具の断面図である。  図６は、本発明の実施例となる家具転倒防止装置器具の支持脚を引き抜きその器具本体の上部に内蔵したところの図である。  図７は、従来の優れた転倒防止器具を家具の台輪の裏側（内側）に取り付けた断面図である。
【００１５】
本発明品の家具転倒防装置止器具１は、家具の下部（台輪）４の床6に近い表面８に、支持脚１０を本体２の中央部の孔に上下自由に動くように着脱可能に貫通させた装置器具で本体２を家具の最下部（台輪）４の表面８（外側）に取り付け、支持脚１０の側面に上下方向にラック１２を形成し、そのラック１２と噛み合って、支持脚１０の上方への動きを止めるラチット爪１１を、取り付けラック１２と噛み合う向きに付設すると共に、前記支持脚１０を常に下方に付勢させるとともに薄い板体の中央部に立壁１３を設けた逆Ｔ字型の基盤９の立壁１３前面に取り付け本体２の裏面と底面とを結合させ、前記立壁１３の後面に両面粘着テープを貼着した家具転倒防止装置器具である。  又本体２の裏面と底面を立壁１３に結合するには製造過程で一体成型することが望ましい。
【００１６】
本発明品の本体２と支持脚１０及びラチット爪１１は、家具転倒防止装置器具を取り付けた家具の重量に耐え、且つ地震等の揺れ時に確実に作動できるように経年変化の少ない形状及び素材を用いる必要があり、錆も意識しなければならない。  例えば支持脚１０は角柱状や円柱状の真鍮、ステンレース鋼、又は樹脂ならばガラス繊維を含んだ金属と同様の強度をもったもの等が望ましい。                                                    
【００１７】
ラチェット爪１１は、その中央より前方（爪部分）に近いところに穴をもうけピンを差込み、そのピンを軸にシーソー式になっていて形状も後部を大きく前部よりも重くし、その重みで前部（爪部分）が向き合った支持脚１０に常時付勢しそのラック１２の凹に食い込み、支持脚１０が上方に戻れない仕組みの為に所定重量を有する金属性か重量を付加したものを用いる必要がある。  付勢したラチェット爪１１の前部（爪部分）は、支持脚１０のラック１２と噛み合い支持脚１０と共に家具の重量に耐えてその任務を完墜する為、支持脚１０と同様な強度が要求される。  ラチェット爪１１の後部を常に押し上げながら支持脚１０は自重で落下する為に樹脂のように軽量の場合はそれに相当する重みを加える必要がある。
【００１８】
本発明品の家具転倒防止器具は家具の台輪４の最下部表側（前面）８に複数取り付ける為に、取り付けた転倒防止装置器具の本体２がそのまま丸見えになるので、その家具のデザインにマッチした美的な型状のカバー１５でこれを覆い、家具の置かれる空間のインテリアに溶け込むものにする為に、前記カバー１５を家具の表側（前面）と同系の色彩にしたり、彫刻をしたりするのも良い。  この実施例は家具の色がチョコレートブラウンであった為、前記カバーを同色のチョコレートブラウンとし、上部に丸みをつけて柔らか味を出した形状とした。
【００１９】
夜中の地震発生に対しては停電を考慮し、暗黒の中で避難の道標となれば防災に大きく貢献できるので、前記カバー１５の製造過程において原料に夜光石の粉末等、蓄光性、蛍光性の原料を混合したり、例えば交通事故防止の為に用いられている蓄光性、光反射性の原料素材等、暗いところで光って見える物質を含む塗料等を塗布しても良い。
【００２０】
前記カバー１５の空間を利用して微震のうちから地震を音感によって知ることが出来る装置１６（鈴、ベル、りん、等）をつけても良い、つけるには本来の本発明品の機能を妨げない所に付ける。  
【００２１】
カバー１５の中の他の空間１７に香料を入れられるようにしてストレスの解消に、肉体の疲労回復にと居住空間をさわやかな好みの香りで満たし常にリラックスできる場にすることができる。  前記カバーの空間１７に合わせ香料を固形にするか、又粒状，粉状、液体のものはそれを収納出来る容器に入れるようにしても良い。
【００２２】
本発明品の家具転倒防止装置器具は本体２の中央孔に設けた支持脚１０の自重による落下と、その落下した支持脚１０が上方に戻るのを防ぐラチット爪１１によって、揺れて家具３の前面部が浮き上がると浮き上がったままとなり、揺れが大きくなればなる程、家具前面が高く浮き上がったまま後部の壁により以上傾き寄りかかり、転倒が防止される仕組みになっている為、本発明の転倒防止装置器具付きの家具は後部に壁のある処に設置しなければならない。
【００２３】
次に本発明品の使用方法を説明する。  本発明品を取り付けるにはカバー１５を外し、ラチット爪１１が後部の重みによって前部（爪部分）が常時支持脚１０のラック１２に食い込んでいる為、指でラチット爪１１の後部を押し上げてラチェット爪１１の前部（爪部分）を支持脚１０より離して、その機能が働かないようにしながら支持脚１０を本体２の中央部の孔より引き抜き、装置器具の本体２と一体となっている逆Ｔ字型の基盤９の板体後部（取り付け装置器具の反対側）を家具台輪４の底の補強板（三角板）５の厚みで出来ている床と家具との間に左右バランス良く差し込み粘着面１４を前記台輪の最下部表側（前面）８に貼着して取り付ける。  その家具が所定の位置に設置されたら、引き抜いておいた支持脚１０を元の本体２の中央部の孔に支持脚のラック１２がラチェット爪１１に向かい合い噛み合うように差込みカバー１５を被せる。  これで何時でも前記家具３が揺れると転倒防止の為に器具が作動を開始する。
【００２４】
部屋の模様替えや引越し等で家具３を移動する時は同じ様にカバー１５を外し、支持脚１０も外して移動する。  その時支持脚１０を紛失しない為にも又、支持脚１０が飛び出したままで床面６に傷をつけたり、運搬の邪魔にならないように、外した支持脚１０を転倒防止装置器具の本体２の上部に横たえてカバー１５を被せることにより支持脚１０は内蔵されて紛失が防げ、床面も傷つけず運送の邪魔にもならない。家具を目的の位置に移動設置した後、最後に支持脚１０を本体２の中央部の孔にラック１２の向きに気をつけて差込み、最後にカバー１５で本体２を覆いかぶせて何時来るかわからぬ揺れに備える。
【図面の簡単な説明】
【００２５】
【図１】家具下部（台輪）の表側（前面）に本発明品を左右バランス良く取り付けたところの説明図である。
【図２】家具下部（台輪）の補強板（三角板）の厚みにより出来た家具と床との空間に基盤の板体後部を差し込み本体を取り付けた後にカバーをつける取付け順番図である。
【図３】家具の表側（前面）に本発明品が取り付けられた断面説明図である。
【図４】音の出る装置（鈴）をつけ、又香料が収納出来る空間を示したカバー内部の説明図である。
【図５】地震の揺れで家具が倒れるのを防止した本発明品の説明図である
【図６】家具の移動の際、支持脚をカバーの中に収用する説明図である。
【図７】従来の転倒防止器具が、台輪の前面裏側（内側）に取り付けられた断面説明図である。
【符号の説明】
【００２６】
１    本発明の家具の転倒防止装置器具
２    本体
３    家具
４    家具の下部（台輪）
５    家具の底に打ちつけられている三角形の補強板
６    床面
７    家具の下部（台輪）の裏側（内側）
８    家具の下部（台輪）の表側（前面）
９    逆Ｔ字型の基盤
１０  支持脚
１１  ラチット爪
１２  ラック
１３  基盤中央の立壁
１４  接着面
１５  カバー
１６  鈴（ベル、りん、等）
１７  香料入れの空間
１８  従来の転倒防止装置
【図１】
2005245896.tif 000003
【図２】
2005245896.tif 000004
【図３】
2005245896.tif 000005
【図４】
2005245896.tif 000006
【図５】
2005245896.tif 000007
【図６】
2005245896.tif 000008
【図７】
2005245896.tif 000009